(57)【要約】【課題】電極から施療部位に対して施療のための電流を適切に供給し、美容効果を高めることができる美容装置を提供する。【解決手段】美容装置１０の施療部２０は、回転板２１の中心軸Ｘ１に対して直交（交差）する面の接触面２１ｃ上において、中心軸Ｘ１を間に挟んで対向する位置に極性の異なる電極２２，２３が設けられる。そして、電極２２，２３から皮膚に電流を供給して施療を行う際、モータ１２に駆動にて施療部２０を回転させながらその施療が行われる。【選択図】図１
2013078432.tif 000002
【特許請求の範囲】
【請求項１】
使用者の施療部位との接触を介して該施療部位に電流を供給する電極が回転可能に構成された美容装置であって、
極性の異なる前記電極が少なくとも一組設けられた施療部と、
前記施療部を回転駆動させる駆動源とを備え、
前記施療部の回転駆動により極性の異なる前記電極が前記施療部の中心軸に対して交差する方向の同一平面上において前記中心軸を間に挟んで対向する位置で周回するように構成されたことを特徴とする美容装置。
【請求項２】
請求項１に記載の美容装置において、
前記施療部は、極性の異なる前記電極の中間位置が前記中心軸上となるように構成されたことを特徴とする美容装置。
【請求項３】
請求項１又は２に記載の美容装置において、
前記施療部は、前記電極が設けられた接触面の前記中心軸上に対応する部分に回転駆動による前記使用者の施療部位からの位置ずれを防止すべくその施療部位に食い込む突起部を備えたことを特徴とする美容装置。
【請求項４】
請求項１〜３のいずれか一項に記載の美容装置において、
前記電極は、前記施療部に対して傾動可能に保持されたことを特徴とする美容装置。
【請求項５】
請求項１〜４のいずれか一項に記載の美容装置において、
前記施療部位の温度を検知する温度検知手段を備えたことを特徴とする美容装置。
【請求項６】
請求項３に従属の請求項５に記載の美容装置において、
前記温度検知手段は、前記突起部に備えられたことを特徴とする美容装置。
【請求項７】
請求項５又は６に記載の美容装置において、
前記電極への電流の供給及び前記駆動源を制御する制御部を備えるものであり、
前記制御部は、前記温度検知手段により検知された温度に基づいて前記施療部の回転速度及び前記電極に供給する電流の少なくとも一方を制御することを特徴とする美容装置。
【請求項８】
請求項５又は６に記載の美容装置において、
前記温度検知手段により検知された温度が所定値以上となったことを使用者に報知する報知手段を備えたことを特徴とする美容装置。
【請求項９】
請求項１〜８のいずれか一項に記載の美容装置において、
前記電極への電流の供給を制御する制御部を備えるものであり、
前記制御部は、施療時における前記電極間の抵抗値が許容範囲内であるかを判定して前記電極に供給する電流を低下又は停止させることを特徴とする美容装置。
【発明の詳細な説明】
【技術分野】
【０００１】
本発明は、施療部位に電流を供給して施療を行う美容装置に関するものである。
【背景技術】
【０００２】
従来、使用者（被施療者）の皮膚との接触を介して該皮膚に電流を供給する電極を備える美容装置が知られている。この美容装置では、極性の異なる電極に皮膚が接触した状態で両電極に例えば高周波電流が供給されると、体内にその高周波電流が流れる。そして、体内を流れる高周波電流により筋肉に刺激を与えたり皮膚を適当な温度まで温めたりすることで肌を引き締める美容効果がある。このときの両電極間の皮膚内を流れる電流の経路は、両電極を結ぶ線分を底辺とする略半円状となり、両電極間の中間位置で皮膚の最も深い部分を流れる。そして、このような皮膚の比較的深い部分（深部）を重点的に温めることで、効率よく真皮のコラーゲンや皮下脂肪を収縮させて美容効果を高めることができる。
【０００３】
また、このような美容装置（施療装置）では、例えば特許文献１に示すように、両電極（活性化電極及び帰還電極）をそれぞれ備え、活性化電極（回転電極）がローラ状に形成されたものがある。この美容装置では、施療部位から離れた身体の任意の部分に帰還電極を接触させた状態で、活性化電極を皮膚表面で転がしながら施療を行うようになっている。
【先行技術文献】
【特許文献】
【０００４】
【特許文献１】特開２００７−２８９５６２号公報
【発明の概要】
【発明が解決しようとする課題】
【０００５】
しかしながら、上記の特許文献１に示される美容装置では、帰還電極を固定位置とした状態で活性化電極を移動させるため、施療動作中の両電極間の中間位置、つまり皮膚の深部の電流が流れる領域が定まらず美容効果を高めることが困難であった。
【０００６】
また、例えば両電極間の距離（中間位置）が変わらないように活性化電極を皮膚表面の同じ部分で前後に転がすことが考えられるが、皮膚表面に局所的に電極を接触させ電流を集中させると、一部の皮膚表面温度が過度に上昇する虞がある。結果として、美容効果を高めることに支障を来す虞があった。
【０００７】
本発明は、上記課題を解決するためになされたものであって、その目的は、電極から施療部位に対して施療のための電流を適切に供給し、美容効果を高めることができる美容装置を提供することにある。
【課題を解決するための手段】
【０００８】
上記課題を解決するために、使用者の施療部位との接触を介して該施療部位に電流を供給する電極が回転可能に構成された美容装置であって、極性の異なる前記電極が少なくとも一組設けられた施療部と、前記施療部を回転駆動させる駆動源とを備え、前記施療部の回転駆動により極性の異なる前記電極が前記施療部の中心軸に対して交差する方向の同一平面上において前記中心軸を間に挟んで対向する位置で周回するように構成されたことを特徴とする。
【０００９】
また上記構成において、前記施療部は、極性の異なる前記電極の中間位置が前記中心軸上となるように構成されることが好ましい。
また上記構成において、前記施療部は、前記電極が設けられた接触面の前記中心軸上に対応する部分に回転駆動による前記使用者の施療部位からの位置ずれを防止すべくその施療部位に食い込む突起部を備えることが好ましい。
【００１０】
また上記構成において、前記電極は、前記施療部に対して傾動可能に保持されることが好ましい。
また上記構成において、前記施療部位の温度を検知する温度検知手段を備えることが好ましい。
【００１１】
また上記構成において、前記温度検知手段は、前記突起部に備えられることが好ましい。
また上記構成において、前記電極への電流の供給及び前記駆動源を制御する制御部を備えるものであり、前記制御部は、前記温度検知手段により検知された温度に基づいて前記施療部の回転速度及び前記電極に供給する電流の少なくとも一方を制御することが好ましい。
【００１２】
また上記構成において、前記温度検知手段により検知された温度が所定値以上となったことを使用者に報知する報知手段を備えることが好ましい。
また上記構成において、前記電極への電流の供給を制御する制御部を備えるものであり、前記制御部は、施療時における前記電極間の抵抗値が許容範囲内であるかを判定して前記電極に供給する電流を低下又は停止させることが好ましい。
【発明の効果】
【００１３】
本発明によれば、電極から施療部位に対して施療のための電流を適切に供給し、美容効果を高めることができる美容装置を提供することができる。
【図面の簡単な説明】
【００１４】
【図１】（ａ）は実施形態における美容装置の上面図、（ｂ）は美容装置の断面図。
【図２】（ａ）は別例における美容装置の上面図、（ｂ）は美容装置の部分断面図。
【図３】別例における美容装置の部分断面図。
【図４】別例における美容装置の部分断面図。
【図５】検知温度に基づくモータの回転数制御について説明するためのフロー図。
【図６】別例における美容装置の断面図。
【図７】別例における美容装置の部分断面図。
【図８】電極と回転板との連結部分の拡大図。
【図９】抵抗値に基づく高周波発振部の出力電流制御について説明するためのフロー図。
【発明を実施するための形態】
【００１５】
以下、本発明を具体化した一実施形態について図面に従って説明する。
図１（ａ）（ｂ）に示すように、本実施形態の美容装置１０は、使用者が把持可能な大きさの略四角箱形状をなす本体ハウジング１１内に駆動源としてのモータ１２を備えている。モータ１２の回転軸１２ａと互いのギヤ１２ｂ，１３ａにて駆動連結された出力軸１３は、本体ハウジング１１に軸受１４を介して支持され、本体ハウジング１１の上面部１１ａから先端部が突出している。出力軸１３の先端部には施療部２０が連結され、施療部２０はモータ１２の回転駆動に基づいて回転する。
【００１６】
本体ハウジング１１の側面１１ｂには、使用者が美容装置１０をオンオフ操作するためのスイッチ１５が設けられている。スイッチ１５は、本体ハウジング１１内に収容保持された制御部１６に電気的に接続されている。またモータ１２は、制御部１６に電気的に接続されている。
【００１７】
制御部１６は、本体ハウジング１１内に収容保持された電源部（バッテリー）１７及び高周波発振部１８に電気的に接続されている。高周波発振部１８は、電源部１７から供給された直流電流から高周波電流（交流電流）を生成して施療部２０に設けられる後述の電極２２，２３に供給する。尚、この高周波電流の周波数は、「１ｋＨｚ〜１００ＭＨｚ」の範囲に設定されることが好ましく、「５００ｋＨｚ〜４５ＭＨｚ」とすることがより好ましい。また、高周波電流の出力は、「０．０１Ａ〜２Ａ」の範囲に設定されることが好ましく、「０．１Ａ〜０．３Ａ」とすることがより好ましい。
【００１８】
施療部２０は、略円板状に形成された回転板２１と、回転板２１上に設けられた一対の電極２２，２３とを有する。回転板２１は、例えば絶縁性部材からなり、その裏面側、即ち本体ハウジング１１と対向するハウジング側面２１ａの中央部分に連結部２１ｂが設けられている。連結部２１ｂは、出力軸１３の先端部分に設けられた連結部１３ｂを収容可能な略球面状凹部を有して形成されている。出力軸１３と施療部２０とは、連結部１３ｂ，２１ｂ間にボール１９ａを介在させて構成した等速ジョイント１９にて接続されている。つまり、出力軸１３から施療部２０への回転伝達を行いつつ、施療部２０が出力軸１３に対して傾動可能に支持されている。
【００１９】
施療部２０は、回転板２１の中心Ｏを通る中心軸Ｘ１に対して回転可能となるように出力軸１３に連結されている。回転板２１の表面側（ハウジング側面２１ａとは反対側の面）は、使用者の皮膚（施療部位）に押し当てて施療動作を行う接触面２１ｃとなっており、接触面２１ｃは、中心軸Ｘ１に対して直交（交差）する面にて形成されている。接触面２１ｃには、極性の異なる電極２２，２３が設けられている。電極２２，２３は、略長方形に形成され、長手方向が回転板２１の径方向の直交方向に沿って設けられている（図１（ａ）参照）。また、電極２２，２３は、回転板２１の中心Ｏ（中心軸Ｘ１）を挟んで反対側に配置され、中心Ｏからの距離Ｌ１，Ｌ２が同一距離となる位置（電極２２，２３の中間位置が中心Ｏとなる位置）で接触面２１ｃ上に固定されている。因みに、電極２２，２３と高周波発振部１８とは、例えば図１（ｂ）に点線で示す配線２４及びスリップリング（図示略）等を介して電気的に接続され、回転駆動する回転板２１に設けた電極２２，２３に高周波電流が供給可能に構成されている。
【００２０】
次に、このように構成された美容装置１０の動作（作用）について説明する。
スイッチ１５が使用者によってオン操作されると、その旨の操作信号が制御部１６に出力される。制御部１６は、操作信号に基づいて電源部１７を起動する。起動された電源部１７は、高周波発振部１８に直流電流を供給する。高周波発振部１８は、直流電流から高周波電流を生成して電極２２，２３に供給する。また、電源部１７は、モータ１２に対して駆動電流を供給する。
【００２１】
モータ１２の回転軸１２ａが回転駆動されると、施療部２０の回転板２１が前記中心軸Ｘ１を中心として回転する。即ち、回転板２１の電極２２，２３が中心軸Ｘ１を周回するように前記中心軸Ｘ１を中心として回転する。使用者により回転板２１の接触面２１ｃが皮膚に接触するように対向配置されると、電極２２，２３が皮膚に接触しながら中心軸Ｘ１を中心として周回する。ここで、出力軸１３と施療部２０とは等速ジョイント１９により連結されており、出力軸１３の軸Ｘ２に対して施療部２０の角度（中心軸Ｘ１の角度）が変更されても、出力軸１３の回転運動は施療部２０側に伝達されるようになっている。従って、使用者は、施療部２０の角度を自由に変更することができ、回転板２１の接触面２１ｃを皮膚に対向配置させて周回する電極２２，２３を皮膚に容易且つ確実に接触させることができる。
【００２２】
電極２２，２３が使用者の皮膚に接触すると、電極２２，２３間に介在する皮膚が電気的抵抗となり、施療を行いたい皮膚に対して高周波電流が流れる。電極２２，２３から皮膚に供給された電気エネルギーは皮膚にて熱エネルギーとなって該皮膚が温められる。このときの皮膚内を流れる電流の経路は、両電極２２，２３を結ぶ線分を底辺とする略半円状となり、両電極２２，２３間の中間位置で皮膚の最も深い部分となる。本実施形態では、施療部２０が回転して電極２２，２３が中心軸Ｘ１を中心に周回することから、周回する電極２２，２３の内側範囲に電流を供給する範囲を集約することができる。しかも、皮膚表面においては電極２２，２３を集中して接触、即ち皮膚表面に局所的に電流を集中させることなく、電極２２，２３の中間位置（中心軸Ｘ１上）に対応する皮膚の深部を中心として電流を集中でき、施療を望む皮膚深部を効果的に温めることができる。このように互いに異極の電極２２，２３を周回させながら皮膚に電流を供給することで、施療対象の皮膚深部に適切に電流を供給でき、美容効果を高めることができる。
【００２３】
美容装置１０の停止動作は、使用者によりスイッチ１５がオフ操作されることで、その旨の操作信号が制御部１６に出力され、制御部１６が操作信号に基づいて高周波発振部１８及びモータ１２の駆動を停止させることで行われる。
【００２４】
次に、本実施形態の特徴的な効果を記載する。
（１）本実施形態の美容装置１０の施療部２０は、回転板２１の中心軸Ｘ１に対して直交（交差）する面の接触面２１ｃ上において、中心軸Ｘ１を間に挟んで対向する位置に極性の異なる電極２２，２３が設けられてなる。そして、電極２２，２３から皮膚に電流を供給して施療を行う際、モータ１２の駆動にて施療部２０を回転させながらその施療が行われる。これにより、周回する電極２２，２３の内側範囲に電流を供給する範囲を集約することができる。しかも、皮膚表面においては電極２２，２３を集中して接触、即ち皮膚表面に局所的に電流を集中させることなく一部の皮膚表面温度が過度に上昇するのを防止しながら、電極２２，２３の中間位置に対応する皮膚の深部を中心に電流を集中でき、施療を望む皮膚深部を効果的に温めることができる。結果、このように施療対象の皮膚深部に施療のための電流が適切に供給されることで、美容効果を高めることができる。
【００２５】
（２）施療部２０は、回転板２１上の電極２２，２３の中間位置が中心軸Ｘ１上に設定されている。つまり、周回動作する電極２２，２３の中間位置が中心Ｏ（中心軸Ｘ１上）に固定され、中心Ｏに対応する皮膚の深部が施療動作中に常に温められることとなり、美容効果をより一層高めることができる。
【００２６】
（３）出力軸１３と施療部２０とを等速ジョイント１９により連結したことで、施療部２０の角度が自由に変更可能となるため、周回動作する電極２２，２３を皮膚に容易且つ確実に接触させることができる。
【００２７】
（４）美容装置１０は、極性の異なる電極２２，２３が同一部材（回転板２１）に設けられており、使用時に施療対象の皮膚に接触させるだけで済む。つまり、極性の異なる電極を個別に設け、片方は施療部位、もう片方は身体の離れた部位に接触が要求される上記特許文献１に示す従来構成と比べて、使用者の操作が容易となる。また、各電極２２，２３に接続する給電ケーブルなどの部品点数の増加を抑えることができる。
【００２８】
尚、本発明の実施形態は、以下のように変更してもよい。
・上記実施形態では、電極２２，２３が中心軸Ｘ１に対して直交する方向の同一平面（接触面２１ｃ）上に配置されたが、中心軸Ｘ１に対して他の角度で交差する方向の平面上に配置してもよい。
【００２９】
・上記実施形態において、各電極２２，２３の中心Ｏ（中心軸Ｘ１）からの距離Ｌ１，Ｌ２を異なる距離に設定してもよい。
・上記実施形態では、回転板２１に極性の異なる電極２２，２３を一組設けたが、これに限定されない。例えば、極性の異なる電極２２，２３を複数組設け、各組の中間位置が中心Ｏとなるように配置してもよい。
【００３０】
・上記実施形態では、回転板２１（電極２２，２３）を中心軸Ｘ１に対して一方向（３６０度）で周回動作（回転動作）させたが、例えば１８０度や９０度といった他の角度で電極２２，２３を周回動作（往復動作）させてもよい。
【００３１】
・上記実施形態において、施療部２０に回転駆動による施療部位の皮膚からの位置ずれを防止するための突起部を設けてもよい。例えば図２（ａ）（ｂ）に示すように、回転板２１の接触面２１ｃの中心Ｏ（中心軸Ｘ１上）に半球状の突起部３１を設けてもよい。そして、突起部３１の先端部を皮膚に食い込むように接触させて施療部２０（回転板２１）を回転させて使用することにより、回転駆動する施療部２０の中心Ｏの位置が施療対象の皮膚に対してずれるのを防止することができる。その結果、施療動作における電極２２，２３の位置ずれを低減して美容効果を高めることができる。尚、上記した突起部３１は回転板２１に一体形成、別体で装着する態様でもよく、材質も金属、樹脂のいずれであってもよい。また、例えば図３に示すように、突起部３１と回転板２１との間に弾性部材３２を設けてもよい。これにより、弾性部材３２にて不要な力を吸収して適度に突起部３１を皮膚に押し当てることができる。
【００３２】
・上記実施形態において、使用者の施療部位の皮膚の温度を検知する温度検知手段を設けてもよい。例えば図４に示すように、回転板２１の突起部３１に例えばサーミスタ等の温度センサ３３を設けて施療する皮膚の温度を検出可能とし、この検出温度に基づいて制御部１６がモータ１２の回転速度（回転数）を変更する構成としてもよい。
【００３３】
図５に制御部１６による温度センサ３３の検出温度Ｔに基づく制御の流れの一例を示す。図５に示すように、制御部１６が電源部１７を起動し（ステップ４１）、電源部１７からモータ１２、高周波発振部１８及び温度センサ３３に駆動電流が供給される（ステップ４２）。次いで、制御部１６は、温度センサ３３により検出された検出温度Ｔが設定温度Ｔｓ以上であるかを判定する（ステップ４３）。検出温度Ｔが設定温度Ｔｓ以上である場合には、制御部１６は、モータ１２の回転数を上げる制御を行う（ステップ４４）。この回転数の変更は、例えば毎分１００回転から毎分１５０回転まで変更させる。これにより、検出温度Ｔに基づいてモータ１２の回転数、つまり、回転板２１の回転数を上げることで、回転毎で電極２２，２３が皮膚の同じ部分に接触している時間が短くなり、皮膚の温度が設定温度Ｔｓに比べて過度に上昇するのを防止できる。尚、回転板２１の回転数は、「毎分８０回転〜１８０回転」の範囲が好ましく、「毎分９０回転〜１００回転」とすることがより好ましい。また、速度を上げた後の回転数は、「毎分１００回転〜２００回転」の範囲が好ましい。また、設定温度Ｔｓは、「４０℃〜４４℃」が好ましく、「４１℃〜４２℃」とすることがより好ましい。
【００３４】
また、ステップ４３において検出温度Ｔが設定温度Ｔｓより小さかった場合、又はステップ４４において回転数を増加させた後には、制御部１６は、所定時間後に検出温度Ｔが設定温度Ｔｓ以上であるかを判定する（ステップ４５）。次いで、検出温度Ｔが設定温度Ｔｓ以上である場合には、制御部１６は、モータ１２の回転数を上げる制御を行う（ステップ４６）。また、検出温度Ｔが設定温度Ｔｓより小さかった場合には、制御部１６は、モータ１２の回転数を下げる（例えば毎分１５０回転から毎分１００回転に戻す）制御を行う（ステップ４７）。このような制御を繰り返して検出温度Ｔが設定温度Ｔｓとなるように制御することで、施療する皮膚の過度な温度上昇が抑えられ、美容効果を高めることができる。尚、制御部１６は、例えば検出温度Ｔに基づいて、高周波発振部１８から電極２２，２３に供給される出力電流を変更してもよく、また、回転数と出力電流との両方を組み合わせて制御してもよい。
【００３５】
また、例えば上記した検出温度Ｔが所定値以上の場合に、それを使用者に報知する報知手段を備えてもよい。例えば図６に示すように、本体ハウジング１１の側面１１ｃには、報知手段としてのスピーカ３４が設けられており、制御部１６と接続されている。制御部１６は、温度センサ３３により検出された検出温度Ｔが所定値以上となった場合に、スピーカ３４から音を発して使用者に報知する。このような構成では、温められた皮膚の温度に応じて使用者に施療部位の移動を促すことができ、美容効果を高めることができる。尚、報知手段は、スピーカ３４に限らず、例えばＬＥＤ等の光を発する手段を用いてもよい。また、上記した報知手段は、検出温度Ｔの変化を報知する以外にも用いてよい。例えば、使用時間が所定時間を経過したことを報知するために用いてもよい。
【００３６】
また図４及び図６に示すように、施療部２０の回転中心で且つ皮膚との接触が安定する突起部３１に温度センサ３３を設けたことで、温度センサ３３の位置ずれを低減でき、皮膚温度を高精度に検出することができる。尚、温度検知手段として、例えば非接触型の温度センサ等の他の手段を設けてもよい。
【００３７】
・上記実施形態において、例えば電極２２，２３が回転板２１に対して傾動可能に保持された構成としてもよい。例えば図７及び図８に示すように、回転板２１に設けられた球体連結部２１ｄと、電極２２に設けられ球面凹部２２ａとを連結した構成としてもよい。回転板２１の接触面２１ｃには、電極２２の形状に応じた凹部２１ｅが設けられ、該凹部２１ｅの底部の中央部に球体連結部２１ｄが突出形成されている。球体連結部２１ｄは、例えば金属部材からなり、高周波発振部１８に電気的に接続されている。電極２２の端面２２ｂには、球体連結部２１ｄの先端部分の球形状に対応した球面凹部２２ａが形成されている。そして、球体連結部２１ｄと球面凹部２２ａとを連結することにより、高周波発振部１８に電気的に接続された状態で電極２２が傾動可能となっている。尚、電極２３については、電極２２と同様の構成となっているため説明を省略する。このような構成では、電極２２，２３が皮膚の表面の凹凸に応じて傾動して電極２２，２３と皮膚との接触性を高めることにより、高周波電流を皮膚に効率良く供給することができる。また、図８に示すように、球体連結部２１ｄの先端部分の表面には、例えば潤滑剤として導電性グリース２１ｆが塗布されており、連結部分の電気抵抗を少なくして電気的接続性を高めた構成となっている。
【００３８】
・上記実施形態において、制御部１６が施療時における電極２２，２３間の抵抗値に基づいて、高周波発振部１８の出力電流を制御する構成としてもよい。図９に制御部１６による抵抗値に基づく制御の流れの一例を示す。図９に示すように、制御部１６が電源部１７を起動し、電源部１７からモータ１２及び高周波発振部１８に駆動電流が供給される（ステップ５１）。次いで、制御部１６は、例えば施療動作が開始され電極２２，２３間に高周波電流が流れると、電極２２，２３間の電圧及び電流値から抵抗値を算出する（ステップ５２）。次いで、算出された抵抗値が許容される所定値の範囲内であるかを判定する（ステップ５３）。この許容範囲の値は、電極２２，２３が皮膚に正しく接触した状態における抵抗値に基づいて設定する。次いで、抵抗値が許容範囲外である場合には、出力電流を例えば半分にする（ステップ５４）。これにより、電極２２，２３と皮膚との接触が不完全となり抵抗値が増加した場合に、電極２２，２３に供給する出力電流を減少させることにより、皮膚と電極２２，２３との接触面積が小さくなることで皮膚の温度が過度に上昇するのを防止できる。また、ステップ５３において、抵抗値が許容範囲内である場合には、制御部１６は、抵抗値の算出及び判定を繰り返し行う。尚、制御部１６は、抵抗値の判定結果に基づいて出力電流の供給そのものを停止する設定としても、上記した効果と同様の効果を得ることができる。
【００３９】
・上記実施形態において、駆動源としてのモータ１２から施療部２０に駆動力を伝達する構成は一例であり、適宜変更してもよい。例えば等速ジョイント１９を省略して出力軸１３の先端部分に回転板２１を直接固定してもよい。
【００４０】
・上記実施形態では、電極２２，２３から皮膚に供給する電流は高周波電流に限らず、低周波電流でもよい。
・上記実施形態において、電源部１７は、バッテリー等の内部電源に限らず、商用電源等の外部電源を用いてもよい。
【００４１】
・上記実施形態において、各部材の形状・構成等は一例であり、適宜変更してもよい。
【符号の説明】
【００４２】
１０…美容装置、１２…モータ（駆動源）、１６…制御部、２０…施療部、２１…回転板（施療部）、２１ｃ…接触面、２２，２３…電極（施療部）、３１…突起部、３３…温度センサ（温度検知手段）、Ｘ１…中心軸。
【図１】
2013078432.tif 000003
【図２】
2013078432.tif 000004
【図３】
2013078432.tif 000005
【図４】
2013078432.tif 000006
【図５】
2013078432.tif 000007
【図６】
2013078432.tif 000008
【図７】
2013078432.tif 000009
【図８】
2013078432.tif 000010
【図９】
2013078432.tif 000011